(57)【要約】【課題】遊技者に向けて行う閉店補償を、既存の設備を利用して円滑且つ正確に行うこと。【解決手段】ホストコンピュータ５は、閉店時刻に至った時点で確変状態や時短状態にあるパチンコ遊技機１を補償対象遊技機として登録すると共に、そのパチンコ遊技機１の遊技者に対し閉店補償のために供されるパチンコ玉数を示す補償玉数を、当該遊技機の遊技データに基づいて算出する。リモコンから計数機７に向けて弊店補償対象のパチンコ遊技機１の台番号を含む補償信号を送信すると、計数機７は、その台番号に対応した補償玉数データをホストコンピュータ５から取得し、プリンタ７ｃを通じて発行するレシートに補償玉数を加算する動作、若しくはカード挿入口７ｄに挿入されている会員カードに対応した貯玉口座に補償玉数を加算する動作を行う。【選択図】  図１
2004215829.tif 000002
【特許請求の範囲】
【請求項１】
遊技媒体を使用した遊技中に予め設定された条件が成立したときに遊技者側に有利な特定遊技状態が発生する遊技機、並びに遊技者が獲得した遊技媒体を計数する計数機などの遊技場機器が設置された遊技場システムにおいて、
前記計数機に対して補償指令信号を送信可能に構成された入力手段を備え、
前記計数機は、前記入力手段より前記補償指令信号を受信したときにその計数データに対し所定値の補償遊技媒体数データを加算するように構成されていることを特徴とする遊技場システム。
【請求項２】
請求項１記載の遊技場システムにおいて、
前記遊技機での遊技データ及び前記計数機での計数データなどを管理するための管理装置を備え、
前記管理装置は、遊技場の営業終了時刻に至った時点で前記特定遊技状態にある遊技機を補償対象遊技機として登録するように構成され、
前記入力手段は、任意の遊技機の台番号を含んだ補償指令信号を送信可能に構成され、
前記補償指令信号に含まれる台番号の遊技機が前記補償対象遊技機として登録されていることを条件とし、前記計数機はその計数データに対し所定値の補償遊技媒体数データを加算するように構成されていることを特徴とする遊技場システム。
【請求項３】
請求項２記載の遊技場システムにおいて、
前記遊技機と対応した位置に設けられた遊技機端末と、
この遊技機端末に対して補償信号を送信可能に構成された入力手段とを備え、前記遊技機端末は、前記入力手段より前記補償信号を受信したときに前記管理装置へ向けて当該補償信号を送信可能に構成され、
前記管理装置は、前記補償信号の送信源となった遊技機端末に対応した遊技機を補償対象遊技機として登録することを特徴とする遊技場システム。
【請求項４】
前記計数機は、その操作に応じて前記管理装置へ向けて前記補償対象遊技機の台番号を含む補償要求信号を送信できるように構成され、
前記管理装置は、前記補償要求信号を受信したときに、当該補償要求信号に含まれる台番号の遊技機について前記特定遊技状態のまま遊技を継続した場合に放出されると見込まれる遊技媒体数を含む補償遊技媒体数データを前記計数機へ送信するように構成されていることを特徴とする請求項２または３記載の遊技場システム。
【請求項５】
前記管理装置にて補償対象遊技機として登録された遊技機を遊技場従業員側で特定できるようにするための補償対象報知動作を行うことを特徴とする請求項２ないし４の何れかに記載の遊技場システム。
【請求項６】
前記入力手段は、前記遊技場機器の少なくとも一つに向けて信号を送信するために遊技場従業員が携帯するリモコンであることを特徴とする請求項１ないし５の何れかに記載の遊技場システム。
【請求項７】
前記入力手段は、その操作に応じて前記管理装置へ向けて前記補償対象遊技機の台番号を含む補償信号を送信できるように構成され、
前記管理装置は、前記補償信号の受信後に当該補償信号に含まれる台番号に対応した補償対象遊技機から遊技媒体の放出を示す信号が出力されたときに、その遊技機を特定可能な警報動作を行うように構成されていることを特徴とする請求項２ないし６の何れかに記載の遊技場システム。
【請求項８】
前記遊技機と対応した位置に、当該遊技機について前記管理装置により算出された補償遊技媒体数データを表示するデータ表示手段が設けられていることを特徴とする請求項２ないし７の何れかに記載の遊技場システム。
【請求項９】
前記入力手段は、前記計数機に向けて、任意値の補償遊技媒体数データを前記補償指令信号と共に送信できるように構成されていることを特徴とする請求項１ないし８の何れかに記載の遊技場システム。
【請求項１０】
前記計数機は、遊技媒体の計数結果及び前記補償遊技媒体数データを記録した記録担体を発行可能に構成されていることを特徴とする請求項１ないし９の何れかに記載の遊技場システム。
【請求項１１】
前記管理装置側に、遊技機での獲得遊技媒体数に応じた有価価値情報が累積的に記憶され且つ当該記憶有価価値情報の決済を任意時期に行い得る遊技者用個人口座を開設可能に構成し、
前記計数機は、遊技媒体の計数結果及び前記補償遊技媒体数データを前記遊技者用個人口座に記憶する預け入れ動作を実行可能に構成されていることを特徴とする請求項１ないし１０の何れかに記載の遊技場システム。
【発明の詳細な説明】
【０００１】
【発明の属する技術分野】
本発明は、例えばパチンコ遊技機のように、遊技中に予め設定された条件が成立したときに遊技者側に有利な特定遊技状態（パチンコ遊技機の場合、特賞状態や確変状態など）が発生する遊技機を含んで構成された遊技場システムに関する。
【０００２】
【従来の技術】
例えば、パチンコホールにおいては、その営業終了時刻を迎えたときに遊技継続中の遊技者をなるべく早い時期に退去させることにより、閉店後の後片付け作業を早期に開始できる環境を整える必要がある。但し、営業終了時刻を迎えた時点で特賞状態や確変状態或いは時短状態のような特定遊技状態を呈しているパチンコ遊技機での遊技者をそのまま退去させたのでは、本来的に遊技者が獲得できるはずのパチンコ玉の放棄を迫ることになって遊技者側の不満が大きくなるため、パチンコホールの営業戦略に悪影響を及ぼすことになる。
このため、近年では、営業終了時刻を迎えた時点でパチンコ遊技機での遊技継続を打ち切る代わりに、特賞状態や確変状態などの特定遊技状態を呈しているパチンコ遊技機での遊技者に対して、所定個数のパチンコ玉を補償するという所謂「閉店補償」を行うようにしている。尚、パチンコホールによっては、特賞状態にあるパチンコ遊技機については、その特賞状態が終了するまでの期間だけ遊技継続を許可し、確変状態や時短状態にあるパチンコ遊技機についてのみ遊技継続を禁止して閉店補償を行うという営業形態を採用することもある。
【０００３】
上記閉店補償を行う場合、従来では、パチンコホール従業員が、補償対象となったパチンコ遊技機の前面扉を開放した状態で盤面上の入賞口に所定個数のパチンコ玉を順次投入する作業を行い、以て当該パチンコ遊技機から閉店補償のためのパチンコ玉を強制的に放出させることが一般的になっている。
しかしながら、このような手段では、上記パチンコ玉放出作業を多数台のパチンコ遊技機について行わねばならないため、従業員側の負担が増すという問題点がある。また、手作業に頼ることになるため、補償するパチンコ玉の数が不正確になる可能性が高くなるという問題点もある。
【０００４】
このような問題点を解決する手段として、従来では、遊技中に特賞状態や確変状態などの特定遊技状態のまま閉店時刻にかかったときには、その遊技を中途で終了させる代わりに、遊技の中途終了に伴い未放出となった賞品球数（パチンコ玉数）を判定すると共に、その判定データを記録した証明カードをカード発行機から発行する構成とし、当該証明カードに記録された内容に基づいて閉店補償を行うようにしたシステムが提供されている（例えば、特許文献１参照）。また、従来では、特賞状態にあるときに閉店時刻を迎えたパチンコ遊技機に対する閉店補償を行うために、所定数のパチンコ玉数を記録したレシートを発行する操作ユニットを設けるものも考えられている（例えば、特許文献２参照）。
【０００５】
【特許文献１】
特許第３１９５４４６号公報
【０００６】
【特許文献２】
特開平８−１７３６１９号公報
【０００７】
【発明が解決しようとする課題】
上記特許文献１及び２に記載された手段では、閉店補償を、パチンコホール従業員の負担を増やすことなく円滑且つ正確に行い得るという利点があるものの、専用のカード発行機或いは操作ユニットが必要になるため、新たなシステムを導入することが必要になってコストの高騰を招くという問題点があった。
【０００８】
本発明は上記事情に鑑みてなされたものであり、その目的は、遊技者に向けて行う閉店補償を、既存の設備を利用して円滑且つ正確に行い得るようになる遊技場システムを提供することにある。
【０００９】
【課題を解決するための手段】
請求項１記載の発明は、上記目的を達成するために、遊技媒体を使用した遊技中に予め設定された条件が成立したときに遊技者側に有利な特定遊技状態が発生する遊技機、並びに遊技者が獲得した遊技媒体を計数する計数機などの遊技場機器が設置された遊技場システムにおいて、
前記計数機に対して補償指令信号を送信可能に構成された入力手段を備えた上で、前記計数機を、前記入力手段より前記補償指令信号を受信したときにその計数データに対し所定値の補償遊技媒体数データを加算する構成としたものである。
【００１０】
この構成によれば、計数機に対して入力手段から補償指令信号を送信できるように構成されており、このような送信が行われた場合、計数機にあっては、その計数データに対し所定値の補償遊技媒体数データを加算するようになる。従って、例えば、遊技場の営業終了時刻に至った時点で、遊技者側に有利な特定遊技状態にある遊技機（そのまま遊技を継続すれば遊技者が所定個数以上の遊技媒体を確実に獲得可能な状態にある遊技機）での遊技者について、遊技の継続を打ち切る代わりに、その遊技者の獲得遊技媒体を計数機で計数する際に遊技場従業員側で入力手段から補償指令信号を送信する操作を行えば、その計数機での計数データに対して所定の補償遊技媒体数データを加算できるようになる。
【００１１】
この結果、補償遊技媒体数データに応じた数の遊技媒体を、特定遊技状態にある遊技機での遊技を打ち切った遊技者に対して供与可能になり、以て当該遊技者に対する閉店補償が行うことが可能になる。つまり、遊技者に対する閉店補償を、計数機での遊技媒体の計数時において円滑且つ正確に行い得るものである。この場合、一般的な遊技場では、入力手段の機能を備えた携帯端末装置（例えばリモコン）を含んだシステムが構築されるのが普通となっているから、閉店補償のために既存の計数機や入力手段を利用可能になる。このため、専用の装置が必要となる従来システム（特許文献１や特許文献２参照）のようにコストが高騰する恐れがなくなる。また、遊技場従業員は、入力手段を操作するだけで済むものであって、従来のようなパチンコ玉放出作業を行う必要がなくなるから、その負担を軽減できるようになる。
尚、入力手段から補償指令信号を送信する操作は何時でも行い得るから、遊技機での遊技を打ち切る代わりに所定個数の遊技媒体を遊技者側に供与するという補償動作を、遊技場の営業終了時刻に至った時点に限らず任意の時期に行い得るものである。
【００１２】
この場合、請求項２記載の発明のように、前記遊技機での遊技データ及び前記計数機での計数データなどを管理するための管理装置を備えた上で、
前記管理装置を、遊技場の営業終了時刻に至った時点で前記特定遊技状態にある遊技機を補償対象遊技機として登録するように構成し、
前記入力手段を、任意の遊技機の台番号を含んだ補償指令信号を送信可能に構成し、
前記補償指令信号に含まれる台番号の遊技機が前記補償対象遊技機として登録されていることを条件とし、前記計数機はその計数データに対し所定値の補償遊技媒体数データを加算するように構成することもできる。
【００１３】
この構成によれば、遊技場の営業終了時刻に至ったときには、管理装置が、遊技者側に有利な特定遊技状態にある遊技機、つまり、そのまま遊技を継続すれば遊技者が所定個数以上の遊技媒体を確実に獲得可能な状態にある遊技機を補償対象遊技機として登録するようになる。この場合、遊技場従業員は、遊技場の営業終了時点において特定遊技状態にある遊技機（補償対象遊技機）を確認し、入力手段から当該遊技機の台番号を含んだ補償指令信号を送信する操作を行う。すると、その補償指令信号に含まれる台番号の遊技機が補償対象遊技機として登録されているという条件が成立するため、計数機にあっては、その計数データに対し所定値の補償遊技媒体数データを加算するようになる。従って、当該補償遊技媒体数データに応じた数の遊技媒体が遊技者側に供与されることになり、以て遊技場の営業終了時点において特定遊技状態にある遊技機で遊技を行っていた遊技者に対する閉店補償が行われる。特に、この構成によれば、管理装置側で補償対象遊技機として特定された遊技機での遊技者に対してのみ正確に閉店補償を行い得るようになるから、システムを円滑に運営する上で有益になる。
【００１４】
この請求項２記載の発明のような構成を採用する場合には、請求項３記載の発明のように、前記遊技機と対応した位置に設けられた遊技機端末と、この遊技機端末に対して補償信号を送信可能に構成された入力手段とを備えた上で、
前記遊技機端末を、前記入力手段より前記補償信号を受信したときに前記管理装置へ向けて当該補償信号を送信可能に構成し、
前記管理装置を、前記補償信号の送信源となった遊技機端末に対応した遊技機を補償対象遊技機として登録する構成とすることもできる。
【００１５】
この構成によれば、遊技機に対応した位置に設けられた遊技機端末に対し入力手段から補償信号を送信することにより当該遊技機を補償対象遊技機として登録できることになる。従って、遊技機を補償対象遊技機として登録するか否かを、当該遊技機の状態を遊技場従業員が実際に確認した結果に基づいて行い得るようになるから、補償対象遊技機の登録を実際の状態に合わせて正確に行うことが可能になる。
【００１６】
請求項２または３に記載した発明のような構成を採用する場合、請求項４記載の発明のように、
前記計数機を、その操作に応じて前記管理装置へ向けて前記補償対象遊技機の台番号を含む補償要求信号を送信できるように構成し、
前記管理装置を、前記補償要求信号を受信したときに、当該補償要求信号に含まれる台番号の遊技機について前記特定遊技状態のまま遊技を継続した場合に放出されると見込まれる遊技媒体数を含む補償遊技媒体数データを前記計数機へ送信する構成とすることもできる。
【００１７】
この構成によれば、特定遊技状態にある補償対象遊技機を確認した遊技場従業員は、当該遊技機での遊技者側の獲得遊技媒体数を計数機で計数させる際に、その計数機の操作に応じて、補償対象遊技機の台番号を含む補償要求信号を管理装置へ向けて送信できる。このような補償要求信号を受信した管理装置は、当該補償要求信号に含まれる台番号の遊技機において特定遊技状態のまま遊技を継続した場合に放出されると見込まれる遊技媒体数を含む補償遊技媒体数データを当該計数機に与えるようになる。すると、当該計数機が、その計数データに対して、上記補償遊技媒体数データを加算するようになるから、当該補償遊技媒体数データに含まれる遊技媒体数が遊技者側に供与されることになる。この場合、上記補償遊技媒体数データは、補償対象遊技機についての実際の遊技データなどに基づいて的確に算出することが可能であるから、結果的に、遊技者に対する閉店補償を最適に行うことが可能になる。
【００１８】
請求項５記載の発明は、前記管理装置にて補償対象遊技機として登録された遊技機を遊技場従業員側で特定できるようにするための補償対象報知動作を行う構成としたものである。
この構成によれば、補償対象報知動作が行われるのに応じて補償対象遊技機を遊技場従業員側で確実且つ迅速に特定できるようになるから、閉店補償を正確且つ簡単に行い得るようになる。
【００１９】
請求項６記載の発明は、前記入力手段を、前記遊技場機器の少なくとも一つに向けて信号を送信するために遊技場従業員が携帯するリモコンにより構成したものである。
この構成によれば、遊技場従業員は、補償対象遊技機を確認して補償指令信号を送信する作業を、自身が携帯するリモコンの操作により簡単に行うことができる。
【００２０】
請求項７記載の発明は、前記入力手段を、その操作に応じて前記管理装置へ向けて前記補償対象遊技機の台番号を含む補償信号を送信できるように構成し、
前記管理装置を、前記補償信号の受信後に当該補償信号に含まれる台番号に対応した補償対象遊技機から遊技媒体の放出を示す信号が出力されたときに、その遊技機を特定可能な警報動作を行うように構成したものである。
この構成によれば、閉店補償が行われた後に、遊技者が補償対象遊技機で遊技を行って遊技媒体を獲得する事態、つまり、遊技者が補償遊技媒体数データに応じた閉店補償以外にも遊技媒体を不正に獲得する事態が発生したときに、当該遊技機を特定可能な警報動作が行われるから、そのような事態に迅速且つ厳正に対処することが可能になる。
【００２１】
請求項８記載の発明は、前記遊技機と対応した位置に、当該遊技機について前記管理装置により算出された補償遊技媒体数データを表示するデータ表示手段を設ける構成としたものである。
この構成によれば、閉店補償により遊技者側に供与される遊技媒体の数を、当該遊技者が遊技機を離れる前にデータ表示手段の表示内容に基づいて確認できるから、遊技者側の安心感を高め得るようになるなど、システムを円滑に運営していく上で有益になる。
【００２２】
請求項９記載の発明は、前記入力手段を、前記計数機に向けて、任意値の補償遊技媒体数データを前記補償指令信号と共に送信できる構成としたものである。この構成によれば、閉店補償のための補償遊技媒体数データの値を、補償対象遊技機に出向いた遊技場従業員の判断で調整できるから、フレキシブルな閉店補償が可能になる。
【００２３】
請求項１０記載の発明は、前記計数機を、遊技媒体の計数結果及び前記補償遊技媒体数データを記録した記録担体を発行可能な構成としたものである。
この構成によれば、遊技者に対する閉店補償の供与を記録担体の発行に応じて簡単且つ確実に行い得るようになる。
【００２４】
請求項１１記載の発明は、前記管理装置側に、遊技機での獲得遊技媒体数に応じた有価価値情報が累積的に記憶され且つ当該記憶有価価値情報の決済を任意時期に行い得る遊技者用個人口座を開設可能に構成すると共に、前記計数機を、遊技媒体の計数結果及び前記補償遊技媒体数データを前記遊技者用個人口座に記憶する預け入れ動作を実行可能な構成としたものである。
この構成によれば、遊技者に対する閉店補償の供与を、該当する補償遊技媒体数データの遊技者用個人口座への預け入れに応じて簡単且つ確実に行い得るようになる。
【００２５】
【発明の実施の形態】
以下、本発明をパチンコホールシステムに適用した一実施例について図面を参照しながら説明する。尚、本実施例では、事前に会員登録された遊技者に対してＩＤカードとしての会員カードを発行し、その会員カードの利用をもって種々のサービス（貯玉、再プレイなど）を提供するカードシステムが構築されたパチンコホールを対象としている。
【００２６】
図１には本実施例によるシステム全体の構成が概略的に示されている。この図１において、遊技場機器として多数台ずつ設置されたパチンコ遊技機１及び台間玉貸機２は、互いに隣接して配置されており、特にパチンコ遊技機１の上方には呼出ランプユニット３（遊技機端末に相当）が設けられている。パチンコ遊技機１は、呼出ランプユニット３を介して入出力装置４と接続され、台間玉貸機２は入出力装置４に直接的に接続されている。
【００２７】
この場合、パチンコ遊技機１は、遊技中に予め設定された条件が成立したとき、例えば、スタート入賞口への入賞に伴い行われる抽選機能により大当たりが成立したときに、その大当たりの内容に応じて、入賞確率を大幅に高めた特賞や大当たり確率を高めた確変、或いは所謂デジタル機などにおいて抽選結果表示役物（メインデジタル）の動作時間を短縮する時短といった特定遊技状態を呈する構成となっている。このパチンコ遊技機１から入出力装置４には、周知のアウト玉数信号、セーフ玉数信号、スタート信号、特賞信号、確変信号、時短信号などが出力される。
また、呼出ランプユニット３は、図２に示すように、複数の表示ランプ３ａ（状態表示手段に相当）、例えば液晶パネルより成る表示部３ｂ（データ表示手段に相当）、リモコン受光部３ｃ（受信手段に相当）、呼出ボタン３ｄなどを備えた構成となっている。この場合、呼出ランプユニット３は、対応するパチンコ遊技機１において特賞、確変、時短の各状態が発生したときに、それらの状態を表示ランプ３ａによって識別可能に表示する構成となっている。
【００２８】
台間玉貸機２は、図示しないプリペイドカードが挿入された状態で当該プリペイドカードに記憶された残高金額データの範囲内でパチンコ玉を放出（返却）するＣＲ機（カードリーダ機）としての機能、並びに会員カードがセットされた状態で当該会員カードに対応した後述の貯玉口座に貯玉の残高がある場合に、払出ボタン（図示せず）の押下げ操作に応じて貯玉残高の範囲内でパチンコ玉を引き落として返却するという再プレイ機としての機能を備えたものである。尚、台間玉貸機２からの放出パチンコ玉は、パチンコ遊技機１の上皿（符号なし）へ供給されるようになっている。この台間玉貸機２から入出力装置４には、プリペイドカードによる売上（遊技者側から見た場合には投資金額）を示す売上信号、貯玉の返却数（再プレイ金額）を示す再プレイ玉数信号、会員カードが挿入状態にあることを示すカード検出信号などが出力される。
【００２９】
パチンコホール施設である管理事務所内には、ホストコンピュータ５（管理装置に相当）が設けられており、前記入出力装置４は、このホストコンピュータ５に対しハブ機能を有した中継器６ａを含んで成るＬＡＮ６を介して接続されている。
【００３０】
ホストコンピュータ５は、パチンコ遊技機１及び台間玉貸機２から出力される種々の信号（アウト玉数信号、セーフ玉数信号、スタート信号、特賞信号、売上信号、再プレイ玉数信号、カード検出信号など）に基づいて、パチンコホール内の全部のパチンコ遊技機１での各種の遊技データ（アウト玉数、セーフ玉数、スタート回数、特賞回数、大当たり出玉数（特賞期間中の出玉数）、稼働率、出玉率など）及び台間玉貸機２での各種の貸出高データ（売上金額、割数、再プレイ金額など）を集計して管理用データベースに蓄積するなどの機能を備えた周知構成のものである。また、このホストコンピュータ５側には、パチンコ遊技機１での獲得パチンコ玉数に応じた貯玉情報（有価価値情報に相当）を累積的に記憶すると共に、その貯玉情報の決済（再プレイ玉としての払出、景品との交換に応じた払出、パチンコホール内に設置された自動販売機での商品の払出など）を任意時期に行い得る遊技者用個人用の貯玉口座が会員カードと対応させた状態で開設されている。
【００３１】
遊技場内の複数箇所（例えば島端）には、遊技者が獲得したパチンコ玉を計数するための計数機７が設置されており、各計数機７は、ＬＡＮ６の中継器６ａに接続されてホストコンピュータ５と通信可能に設けられている。この計数機７には、パチンコ玉を投入するためのホッパ７ａ、このホッパ７ａに投入されたパチンコ玉を計数するための計数ユニット（図示せず）、計数データを表示するための例えば液晶パネルより成る表示部７ｂ、記録担体としての後述するレシート（そのフォーマットの一例を図１０に符号８を付して示す）を印字するためのプリンタ７ｃ、前記図示しない会員カードを挿入するためのカード挿入口７ｄ、このカード挿入口７ｄに対応して配置されたカードリーダ（図示せず）、リモコン受光部７ｅ、発券ボタン７ｆなどが設けられている。
【００３２】
この計数機７の動作内容については後述するが、基本的には、計数結果などを記録したレシートを発行すると同時に当該計数結果をホストコンピュータ５へ送信する機能、並びにカード挿入口７ｄに会員カードが挿入された状態で計数動作を行ったときに、その計数結果を当該会員カードに対応した貯玉情報としてホストコンピュータ５側の貯玉口座に記憶させる機能が設定されている。
【００３３】
尚、図示しないが、パチンコホール内の景品交換カウンタには、景品交換業務を行うためのＰＯＳ端末が複数台設置されており、このＰＯＳ端末は、ＬＡＮ６を介してホストコンピュータ５と通信可能に接続される。ＰＯＳ端末は、計数機７から発券されたレシートの記録情報及び会員カードに対応した貯玉情報をホストコンピュータ５側の蓄積情報と照合することにより、遊技者の獲得パチンコ玉数に応じた景品を払い出す機能が設定されている。また、ＰＯＳ端末は、景品交換カウンタへの種々の景品の入庫数や払出景品数などのデータを入力可能になっており、それらのデータをホストコンピュータ５へ送信するようになっている。尚、このＰＯＳ端末に対して、レシートの記録情報を会員カードに対応した貯玉情報へ移行させる機能を付加することも可能である。
【００３４】
図３には、パチンコホール従業員が携帯するリモコン９（入力手段に相当）の正面外観が示されている。このリモコン９は、赤外光を送信媒体としたものであり、呼出ランプユニット３に設けられたリモコン受光部３ｃや計数機７に設けられたリモコン受光部７ｅなどに向けて種々の信号を送信できる構成となっている。リモコン９には、赤外線発光ダイオードを内蔵した送信ヘッド９ａ、液晶表示部９ｂ、テンキースイッチを含む操作スイッチ群９ｃが設けられており、その操作に応じて後述する補償信号などを選択的に送信できる構成となっている。
【００３５】
図４には、呼出ランプユニット３の動作内容のうち本発明の要旨に関係した内容が示されており、以下これについて説明する。
即ち、呼出ランプユニット３は、リモコン９からの補償信号を受信したか否かを判断し（ステップＡ１）、非受信状態では図示しない他の処理を経てステップＡ１へリターンする。尚、このような補償信号は、リモコン９において以下▲１▼、▲２▼のような操作を順次行うことによって送信できる構成となっている。
即ち、図３を参照して説明すると、
▲１▼  操作スイッチ群９ｃの「補償」キーを操作する、
▲２▼  操作スイッチ群９ｃの「送信」キーを操作する。
【００３６】
呼出ランプユニット３は、このような補償信号を受信した場合に、ホストコンピュータ５から後述のように出力される補償候補信号を受信済みか否かを判断する（ステップＡ２）。補償候補信号の非受信状態では、表示部３ｂに対して、リモコン９による補償信号の送信動作が無効であることを所定時間だけ表示する無効表示処理ステップＡ３を実行した後に、図示しない他の処理を経てステップＡ１へリターンする。
【００３７】
これに対して、補償候補信号を受信済みであった場合には、リモコン９から受信した補償信号に対し、自身と対応するパチンコ遊技機１の台番号を付け加えると共に、その台番号を含む補償信号をホストコンピュータ５へ転送する（ステップＡ４）。
この後には、ホストコンピュータ５から後述のように出力される補償玉数データ（補償遊技媒体数データ）を受信するまで待機し（ステップＡ５）、受信したときには、表示部３ｂに対して補償玉数データにより示される補償玉数を表示する補償玉数表示処理ステップＡ６を実行した後に、図示しない他の処理を経てリターンする。
【００３８】
要するに、呼出ランプユニット３にあっては、ホストコンピュータ５から出力される補償候補信号を受信済みの状態で、リモコン９から補償信号を受信したときのみ、その補償信号をホストコンピュータ５へ転送するものであり、このように転送される補償信号には対応するパチンコ遊技機１の台番号が含まれることになる。また、呼出ランプユニット３は、ホストコンピュータ５から与えられる補償玉数データを表示部３ｂに表示する。
【００３９】
図５、図６、図７には、ホストコンピュータ５の動作内容のうち本発明の要旨に関係した部分が示されており、以下これについて説明する。
図５には、パチンコホールの営業終了時におけるホストコンピュータ５での処理ルーチンが示されている。この処理ルーチンへ移行したときには、まず、パチンコホールの閉店時刻（予め設定された営業終了時刻）になったか否かを判断する（ステップＢ０１）。閉店時刻に至っていないときにはそのままリターンするが、閉店時刻になったときには、確変状態または時短状態にあるパチンコ遊技機１が存在するか否かを、各パチンコ遊技機１からの確変信号及び時短信号に基づいて判断する（ステップＢ０２）。
【００４０】
このステップＢ０２で「ＮＯ」と判断したときにはそのままリターンするが、「ＹＥＳ」と判断したときには、確変状態または時短状態にあるパチンコ遊技機１を補償対象遊技機として登録する（ステップＢ０３）。尚、この登録は、パチンコ遊技機１の台番号を管理用データベースに記憶することにより行われる。次いで、登録した補償対象遊技機に対応した呼出ランプユニット３へ補償候補信号を送信するステップＢ０４を実行してリターンする。
【００４１】
要するに、図５に示した処理ルーチンでは、パチンコホールの閉店時刻になったときに、その時点で確変状態または時短状態にあるパチンコ遊技機１を抽出して補償対象遊技機として登録することにより管理対象とし、当該補償対象遊技機に対応した呼出ランプユニット３へ補償候補信号を送信する動作を行う。これにより、その補償候補信号を受信した呼出ランプユニット３にあっては、リモコン９から受信した補償信号に対しパチンコ遊技機１（つまり補償対象遊技機）の台番号を付け加えた状態でホストコンピュータ５へ転送するという前述した動作を実行可能な状態を呈するものである。
【００４２】
尚、パチンコ遊技機１においては、確変や時短が発生中の状態にある旨が呼出ランプユニット３によって表示されることになるが、ホストコンピュータ５は、その表示動作をパチンコホールの閉店時刻以降においても継続させることによって、当該パチンコ遊技機１が補償対象遊技機であることをパチンコホール従業員側で特定できようにするための補償対象報知動作を行うものである。但し、パチンコ遊技機１が補償対象遊技機である旨を表示するための補償対象報知動作を、例えば呼出ランプユニット３での独自の表示により行う構成とすることも可能である。
【００４３】
図６には、ホストコンピュータ５で実行される処理動作のうち呼出ランプユニット３に関係した処理ルーチンが示されている。この処理ルーチンへ移行したときには、まず、呼出ランプユニット３からの補償信号を受信の有無を判断し（ステップＢ１１）、非受信状態ではそのままリターンする。補償信号を受信したときには、その補償信号に含まれる台番号を抽出し（ステップＢ１２）、その台番号に該当したパチンコ遊技機１（これは補償対象遊技機である）についての大当たり出玉数の平均値（以下、平均ＴＹと呼ぶ）を前述した管理用データベースから抽出する（ステップＢ１３）。
【００４４】
次いで、抽出した平均ＴＹに基づいて補償玉数を決定する（ステップＢ１４）。この補償玉数は、パチンコホールの営業終了時点において確変または時短状態にあるパチンコ遊技機１での遊技者に対して、遊技継続を打ち切る代わりに補償するパチンコ玉数、つまり閉店補償のために遊技者へ供与するパチンコ玉数に相当するものである。このような確変または時短に対する補償玉数は、平均ＴＹに対して所定の定数（例えば「１」）を乗算することにより算出される。
【００４５】
尚、本実施例では、パチンコホールの営業終了時点において特賞状態にあるパチンコ遊技機１については、そのまま特賞状態が終了するまで遊技継続を許容するシステムを採用している。このため、当該特賞状態にあるパチンコ遊技機１に対しては補償玉数を決定する必要がないが、パチンコホールの営業終了時点において特賞状態にあるパチンコ遊技機１での遊技継続を打ち切って閉店補償を行う場合には、平均ＴＹから当該特賞状態にある期間に放出済みのパチンコ玉数を差し引くことにより補償玉数を算出すれば良いものである。
【００４６】
補償玉数を決定した後には、その補償玉数データを補償信号の送信源となった呼出ランプユニット３へ送信する（ステップＢ１５）。この後には、ステップＢ１２で抽出した台番号を補償要求信号待ち台番号として登録するステップＢ１６を実行した後にリターンする。
【００４７】
要するに、図６に示した処理ルーチンでは、呼出ランプユニット３から受信した補償信号に含まれる台番号に該当したパチンコ遊技機１（補償対象遊技機）についての平均ＴＹを管理用データベースから抽出すると共に、その平均ＴＹを補償玉数データとして上記呼出ランプユニット３へ送信する動作を行う。また、上記台番号を、補償要求信号待ちの遊技機台番号として登録する。
【００４８】
図７には、ホストコンピュータ５で実行される処理動作のうち計数機７に関係した処理ルーチンが示されている。この処理ルーチンへ移行したときには、まず、計数機７から後述のように出力される補償要求信号の受信の有無を判断し（ステップＢ２１）、非受信状態ではそのままリターンする。尚、後述の説明にて明らかとなるように、上記補償要求信号には閉店補償の対象となるパチンコ遊技機１の台番号が含まれている。
【００４９】
補償要求信号を受信したときには、その補償要求信号に含まれる台番号を抽出し（ステップＢ２２）、その台番号が前記ステップＢ１６（図６参照）で登録した補償要求信号待ち台番号であるか否かを判断する（ステップＢ２３）。ここで「ＮＯ」と判断したときには、補償要求信号の送信源となった計数機７に対してＮＧ信号を送信するステップＢ２４を実行してリターンする。
【００５０】
これに対して、ステップＢ２３で「ＹＥＳ」と判断したときには、その補償要求信号待ち台番号に該当するパチンコ遊技機１（補償対象遊技機）について決定した補償玉数を抽出し（ステップＢ２５）、その補償玉数データを補償要求信号の送信源となった計数機７へ送信する（ステップＢ２６）。この後には、上記補償要求信号待ち台番号を、閉店補償が済んだ補償済み遊技機台番号として登録しなおすステップＢ２７を実行した後にリターンする。
【００５１】
要するに、図７に示した処理ルーチンでは、計数機７から受信した補償要求信号に含まれる台番号が、登録されている補償要求信号待ち台番号であった場合には、該当するパチンコ遊技機１（補償対象遊技機）についての補償玉数を抽出して当該計数機７へ送信すると共に、その補償要求信号待ち台番号を補償済み遊技機台番号として登録しなおす動作を行う。また、計数機７から受信した補償要求信号に含まれる台番号が補償要求信号待ち台番号でなかった場合には、当該計数機７へＮＧ信号を送信する動作を行う。
【００５２】
図８、図９には、計数機７の動作内容のうち本発明の要旨に関係した部分が示されており、以下これについて説明する。
図８には計数機７のメイン動作の内容が示されている。この図８において、計数機７は、ホッパ７ａにパチンコ玉が投入されたか否かを判断し（ステップＣ１）、非投入状態では補償フラグがオンか否かを判断する（ステップＣ２）。尚、この補償フラグは、図９に示す割り込み処理ルーチンの実行時にそのルーチンの動作説明中で述べるような条件が成立したときにオンされるものである。
【００５３】
補償フラグがオフの場合には、ステップＣ１へ戻ってパチンコ玉が投入されるまで待機することになる。また、補償フラグがオンの場合には、発券ボタン７ｆが操作されたか否かを判断し（ステップＣ５）、非操作状態ではステップＣ１へ戻ってパチンコ玉が投入されるまで待機することになる。
【００５４】
ホッパ７ａにパチンコ玉が投入されたときには、計数処理ルーチンＣ３を実行する。このルーチンＣ３では、投入パチンコ玉を計数するために設けられた計数ユニット（図示せず）から入力される計数パルスを計数して当該計数値を逐次更新記憶する動作、並びに計数値を特定景品の交換単価で除算する動作（計数パチンコ玉により交換可能な特定景品の個数及び余りパチンコ玉数を算出する動作）を行うと共に、計数値及び除算結果を表示部７ｂに表示する動作を行う。
【００５５】
このような計数処理ルーチンＣ３は、ステップＣ４において計数終了と判断されるまで実行され、計数終了したときには、発券ボタン７ｆの操作状態を判断するための前記ステップＣ５へ移行する。このステップＣ５で「ＹＥＳ」と判断したとき、つまり、ホッパ７ａにパチンコ玉が投入された場合においてその計数が終了した後に発券ボタン７ｆが操作されたとき（補償フラグの状態は問わない）、若しくは補償フラグがオンの状態で発券ボタン７ｆが操作されたとき（パチンコ玉の投入の有無は問わない）には、カード挿入口７ｄに会員カード（図示せず）が挿入された状態にあるか否かを判断する（ステップＣ６）。
【００５６】
会員カードが挿入されていない場合には、補償フラグがオンか否かを判断する（ステップＣ７）。補償フラグがオンの場合には、計数玉数や補償玉数などを印字した図１０に示すようなレシート８をプリンタ７ｃにより発行する（ステップＣ８）。尚、図１０において、ステップＣ８の実行に応じて発行されるレシート８には、そのタイトルａ（この例では「預り券」）、管理番号ｂ、景品交換条件ｃ（この例では等価交換を示す「パチンコ等価」）、発行時刻ｄ、計数玉数及び補償玉数の合計値ｅ、計数玉数ｆ、補償玉数ｇ、補償玉が発生したパチンコ遊技機１の台番号ｈ、固有のＩＤコードなどを記録したバーコードｉ、有効期限を含むメッセージｊが印刷される。
【００５７】
レシート８の発行後には、補償フラグをオフするステップＣ９、ホストコンピュータ５へ計数玉数及び補償玉数を示す計数・補償データを送信するステップＣ１６を順次実行した後にリターンする。尚、ホストコンピュータ５では、受信した計数・補償データを管理用データベースに蓄積するものであり、その蓄積データにより示される補償玉数を割数や粗利などの演算に反映させる構成となっている。
【００５８】
一方、会員カードの非挿入状態で補償フラグがオフであった場合（ステップＣ７で「ＮＯ」）には、補償玉数を含まないレシート（図示せず）をプリンタ７ｃにより発行するステップＣ１０及び前記データ送信ステップＣ１６を順次実行した後にリターンする。尚、この場合に発行されるレシートは、図１０に示したレシート８から、計数玉数及び補償玉数の合計値ｅ、補償玉数ｇ、台番号ｈを除去した形態になる。
【００５９】
これに対して、発券ボタン７ｆの操作時において会員カードが挿入された状態にあった場合（ステップＣ６で「ＹＥＳ」）には、ホストコンピュータ５へ貯玉の預け入れ要求を行う（ステップＣ１１）。この要求時には、挿入状態にある会員カードのＩＤ情報と計数玉数及び補償玉数の合計データ（何れか一方の玉数が零の場合もある）を送信するものである。この要求を受けたホストコンピュータ５側では、ＩＤ情報により示される会員カードに対応した貯玉口座に対し上記合計データを貯玉として加算記憶すると共に、最新の貯玉数データを含む貯玉更新応答を計数機７側へアンサバックする動作を行う構成となっている。
【００６０】
ステップＣ１１の実行後には、ホストコンピュータ５側からアンサバックされる貯玉更新応答を受信するまで待機し（ステップＣ１２）、その応答を受信したときには補償フラグがオンか否かを判断する（ステップＣ１３）。補償フラグがオンの場合には、これをオフするステップＣ１４を実行してステップＣ１５へ移行し、補償フラグがオフの場合には当該ステップＣ１４をジャンプしてステップＣ１５へ移行する。
【００６１】
ステップＣ１５では、受信した貯玉更新応答に含まれる最新の貯玉数データを表示部７ｂに表示すると共に、会員カードを排出する動作を行うものであり、この後には前記データ送信ステップＣ１６を実行してリターンする。
【００６２】
図９に示す割り込み処理ルーチンは、図８のフローチャート中において「スタート」からステップＣ５において「ＹＥＳ」と判断されるまでの期間にリモコン９から補償信号を受信したときに行われるものである。尚、このようにリモコン９から計数機７に向けて送信される補償信号が本発明でいう補償指令信号の機能を果たすものであり、この場合にリモコン９から送信される補償信号には、閉店補償対象のパチンコ遊技機１についての台番号が含まれるものである。このような補償信号は、リモコン９において例えば以下▲１▼〜▲４▼のような操作を順次行うことによって送信できる構成となっている。
【００６３】
即ち、図３を参照して説明すると、
▲１▼  操作スイッチ群９ｃのテンキースイッチにより該当台番号を入力する、
▲２▼  操作スイッチ群９ｃの「台番」キーを操作する、
▲３▼  操作スイッチ群９ｃの「補償」キーを操作する、
▲４▼  操作スイッチ群９ｃの「送信」キーを操作する。
但し、このような構成を採用する必要はなく、例えば、閉店補償対象のパチンコ遊技機１に対応した呼出ランプユニット３に向けて補償信号を送信したときに、当該呼出ランプユニット３側から台番号データをリモコン９側で受信して格納しておき、その格納台番号データを計数機７に向けて送信する補償信号に含ませる構成なども可能である。
【００６４】
図９において、台番号を含む補償信号を受信したとき（ステップＣ２１で「ＹＥＳ」）には、当該補償信号に含まれる台番号を抽出し（ステップＣ２２）、その台番号に該当したパチンコ遊技機１を含む補償要求信号をホストコンピュータ５へ送信する（ステップＣ２３）。この後には、ホストコンピュータ５から送信されてくる補償玉数データ及びＮＧ信号の何れかを受信するまで待機する（ステップＣ２４、Ｃ２５）。尚、補償要求信号を受信したホストコンピュータ５にあっては、計数機７に対して補償玉数データ若しくはＮＧ信号の何れかを送信する構成となっていることは前述した（図７参照）。
【００６５】
そして、補償玉数データを受信したときには補償フラグをオンする（ステップＣ２６）。次いで、表示部７ｂに対して、受信した補償玉数を計数ユニットによる計数結果を示す計数玉数と並べた状態で表示し（ステップＣ２７）、この後にリターンする。また、ＮＧ信号を受信したときには、表示部７ｂにエラーメッセージを表示するステップＣ２８を実行した後にリターンする。
【００６６】
要するに、計数機７にあっては、発券ボタン７ｆが操作される前にリモコン９から補償信号（これには閉店補償対象のパチンコ遊技機１の台番号が含まれる）を受信したときには、その補償信号に含まれる台番号に該当したパチンコ遊技機１に対する補償要求信号をホストコンピュータ５へ送信する。これに応じてホストコンピュータ５から補償玉数データがアンサバックされたときには、補償フラグをオンすると共に、その補償玉数を表示部７ｂに表示して遊技者に知らせる。また、ホストコンピュータ５からＮＧ信号がアンサバックされたときには、補償フラグをオンさせることなく、表示部７ｂにエラーメッセージを表示する。
【００６７】
さらに、計数機７にあっては、ホッパ７ａにパチンコ玉が投入されたときにその計数動作を行い、その計数動作の終了後に発券ボタン７ｆが操作されたときには、計数データを記録したレシートを発行する動作（カード挿入口７ｄに会員カードが挿入されていない場合）、若しくは計数データを貯玉口座に預け入れる動作（カード挿入口７ｄに会員カードが挿入されていた場合）を行う。このような発券ボタン７ｆの操作時に前記補償フラグがオンされていた場合には、ホストコンピュータ５からアンサバックされた状態にある補償玉数を、上記レシートに記録する動作若しくは貯玉口座に預け入れる動作を行う。尚、補償フラグがオンされている状態で、ホッパ７ａにパチンコ玉が投入されることなく発券ボタン７ｆが操作されたときには、会員カードの挿入状態の有無に応じて、上記補償玉数を貯玉口座に預け入れる動作若しくはその補償玉数を記録したレシートを発行する動作を行う。
【００６８】
上記した本実施例によれば、以下に述べるような作用・効果を奏することができる。
即ち、パチンコホールの閉店時刻（営業終了時刻）に至ったときには、ホストコンピュータ５が、その時点で遊技者側に有利な確変状態及び時短状態を呈しているパチンコ遊技機１、つまり、そのまま遊技を継続すれば遊技者が所定個数以上のパチンコ玉を確実に獲得可能な状態にあるパチンコ遊技機１を補償対象遊技機として登録すると共に、このように登録されたパチンコ遊技機１に対応した呼出ランプユニット３へ補償候補信号を送信するようになる。
【００６９】
また、ホストコンピュータ５は、補償対象遊技機の登録と同時に、呼出ランプユニット３の表示ランプ３ａを通じて行われている確変や時短が発生中の状態にある旨の表示動作を閉店時刻以降においても継続させるという補償対象報知動作を行って当該補償対象遊技機をパチンコホール従業員側で容易に特定できるようにする。つまり、パチンコホール従業員による補償対象遊技機の確認作業を、各パチンコ遊技機１と対応した位置に設けられた呼出ランプユニット３に備えられた表示ランプ３ａの動作の有無によりきわめて容易且つ迅速に行い得るようになる。
【００７０】
パチンコホール従業員は、表示ランプ３ａによる補償対象報知動作に基づいて補償対象遊技機となるパチンコ遊技機１を特定し、これに対応した呼出ランプユニット３のリモコン受光部３ｃに向けてリモコン９から補償信号を送信する操作を行う。すると、呼出ランプユニット３は、ホストコンピュータ５からの前記補償候補信号を受信済みであることを前提条件に、対応するパチンコ遊技機１の台番号を含む補償信号をホストコンピュータ５へ転送するようになる。
【００７１】
このように、呼出ランプユニット３には、リモコン９からの補償信号を受信してホストコンピュータ５へ転送する機能が設けられているため、パチンコホール従業員は、リモコン９からの補償信号をホストコンピュータ５へ送信する操作を、補償対象遊技機となったパチンコ遊技機１から移動することなく行うことができるようになり、その負担軽減を図り得る。
【００７２】
一方、呼出ランプユニット３からの補償信号を受信したホストコンピュータ５は、その補償信号に含まれる台番号に該当したパチンコ遊技機１についての平均ＴＹを算出し、その平均ＴＹを補償信号の送信源となった呼出ランプユニット３へ補償玉数データとして送信する動作を行う。
【００７３】
このような補償玉数データを受信した呼出ランプユニット３にあっては、その補償玉数を、閉店補償により遊技者側に供与されるパチンコ玉数として表示部３ｂに表示するようになる。従って、閉店補償により遊技者側に供与されるパチンコ玉数を、当該遊技者がパチンコ遊技機１を離れる前に表示部３ｂの表示内容に基づいて確認できるから、遊技者側の安心感を高め得るようになるなど、システムを円滑に運営していく上で有益になる。
【００７４】
パチンコホール従業員は、補償対象遊技機となったパチンコ遊技機１での遊技者による獲得パチンコ玉を計数機７で計数させる際に、自身が携帯するリモコン９から計数機７に向けて上記パチンコ遊技機１の台番号を含む補償信号（補償指令信号に相当）を送信する操作を行う。
【００７５】
すると、上記補償信号を受信した計数機７においては、その補償信号に含まれる台番号のパチンコ遊技機１についての補償玉数データをホストコンピュータ５から取得し、その補償玉数データを加算した状態のレシートを発行する動作、若しくは補償玉数データを貯玉口座に預け入れる動作を行い、以て当該補償玉数データに応じた数のパチンコ玉を遊技者側に供与するようになる。
【００７６】
これにより、パチンコホールの閉店時点において確変状態或いは時短状態にあるパチンコ遊技機１で遊技を行っていた遊技者に対する閉店補償が行われる。つまり、遊技者に対する閉店補償を、計数機７でのパチンコ玉の計数時において円滑且つ正確に行い得るものである。この場合、閉店補償のために既存の計数機７及びリモコン９を利用できるから、専用の装置が必要となる従来システムのようにコストが高騰する恐れがなくなる。また、パチンコホール従業員は、リモコン９を操作するだけで済むものであって、従来のようなパチンコ玉放出作業（入賞口に所定個数のパチンコ玉を順次投入する作業）を行う必要がなくなるから、その負担を軽減できるようになる。
【００７７】
また、ホストコンピュータ５から計数機７に与えられる補償玉数データは、閉店補償の対象となったパチンコ遊技機１についての実際の遊技データである平均ＴＹに基づいて算出されるものであって、実情に即した的確なデータとなるから、結果的に、遊技者に対する閉店補償を最適に行うことが可能になる。
【００７８】
計数機７は、パチンコ玉の計数結果及び閉店補償される補償玉数を記録したレシートを発行する動作、若しくはその計数結果及び補償玉数を貯玉口座に預け入れる動作を選択的に行う構成となっているから、遊技者に対する閉店補償の供与を、記録担体の発行や貯玉口座への預け入れに応じて簡単且つ確実に行い得るようになる。
【００７９】
尚、本発明は上記し且つ図面に示した実施例に限定されるものではなく、以下に述べるような変形または拡大が可能である。
パチンコ遊技機以外の遊技機、例えばパチスロ機が設置された遊技場にも適用できる。閉店時刻に至ったときに、所謂ハンドルストップなどを行うことによりパチンコ遊技機１での遊技を強制的に終了させる構成を採用しても良い。
【００８０】
上記実施例では、パチンコホールの営業終了時点で確変状態または時短状態にあるパチンコ遊技機１をホストコンピュータ５において自動的に補償対象遊技機として登録する構成としたが、これに限られるものではない。例えば、呼出ランプユニット３に対し、リモコン９からの補償信号を受信したときにその補償信号をホストコンピュータ５へ送信する構成とした上で、ホストコンピュータ５に対し、上記補償信号の送信源となった呼出ランプユニット３に対応したパチンコ遊技機１を補償対象遊技機として登録する構成とすることも可能である。
このような構成とした場合、パチンコ遊技機１に対応した呼出ランプユニット３に対し遊技場従業員が携帯するリモコン９から補償信号を送信することにより当該パチンコ遊技機１を補償対象遊技機として登録できることになる。従って、パチンコ遊技機１を補償対象遊技機として登録するか否かを、当該パチンコ遊技機１の状態を遊技場従業員が実際に確認した結果に基づいて行い得るようになるから、補償対象遊技機の登録を実際の状態に合わせて正確に行うことが可能になる。
【００８１】
ホストコンピュータ５に対して、呼出ランプユニット３から補償対象遊技機の台番号を含む補償信号を受信した後に、当該台番号に対応したパチンコ遊技機１からパチンコ玉の放出を示す信号が出力されたときに、そのパチンコ遊技機１を特定可能な警報動作を行う機能を設定しても良い。
この構成によれば、閉店補償が行われた後に、遊技者が補償対象遊技機で遊技を行ってパチンコ玉を獲得する事態、つまり、遊技者が補償玉数データに応じた閉店補償以外にもパチンコ玉を不正に獲得する事態が発生したときに、その事態に迅速且つ厳正に対処することが可能になる。
この場合、上記警報動作を、呼出ランプユニット３に備えられた表示ランプ３ａ動作させることにより行う構成を採用できるものであり、この構成によれば、不正な行為が行われたパチンコ遊技機１を、当該遊技機１に対応した位置に設けられた表示ランプ３ａの動作の有無によりきわめて容易且つ迅速に確認できるようになる。
【００８２】
上記実施例では、補償玉数データをホストコンピュータ５から取得する構成としたが、リモコン９に対して、計数機７に向けて任意値の補償玉数データを補償信号（補償指令信号）と共に送信できる機能を付与する構成としも良い。このような送信動作は、リモコン９において例えば以下▲１▼〜▲５▼のような操作を順次行うことにより実現可能になる。
即ち、図３を参照して説明すると、
▲１▼  操作スイッチ群９ｃのテンキースイッチにより補償対象遊技機の台番号を入力する、
▲２▼  操作スイッチ群９ｃの「台番」キーを操作する、
▲３▼  操作スイッチ群９ｃのテンキースイッチにより補償玉数を入力する、
▲４▼  操作スイッチ群９ｃの「補償」キーを操作する、
▲５▼  操作スイッチ群９ｃの「送信」キーを操作する。
この構成によれば、閉店補償のための補償玉数データの値を、補償対象遊技機に出向いたパチンコホール従業員の判断で調整できるから、フレキシブルな閉店補償が可能になる。
【００８３】
上記実施例では、入賞が発生したときにパチンコ玉を実際に放出する形態のパチンコ遊技機１が設置されていることを前提としたが、パチンコ玉を放出する代わりに、入賞に応じて得点を加算し、遊技終了時にその時点での得点を記録した記録媒体を発行する構成の封入式パチンコ遊技機が設置された遊技場システムにも適用できる。この場合には、計数機７が不要となり、その計数機７での補償遊技媒体数データの加算機能をパチンコ遊技機自体に持たせることになる。具体的には、封入式パチンコ遊技機がリモコン９からの補償指令信号を受信したときに、その時点での得点に所定の補償得点を補償遊技媒体数データとして加算する構成とすれば良い。
【図面の簡単な説明】
【図１】本発明の一実施例を示すシステム全体の概略的構成図
【図２】呼出ランプユニットの正面図
【図３】リモコンの正面図
【図４】呼出ランプユニットの動作内容を示すフローチャート
【図５】ホストコンピュータの動作内容を示すフローチャートその１
【図６】ホストコンピュータの動作内容を示すフローチャートその２
【図７】ホストコンピュータの動作内容を示すフローチャートその３
【図８】計数機の動作内容を示すフローチャートその１
【図９】計数機の動作内容を示すフローチャートその２
【図１０】レシートのフォーマット例を示す図
【符号の説明】
１はパチンコ遊技機（遊技場機器）、２は台間玉貸機（遊技場機器）、３は呼出ランプユニット（遊技機端末）、３ａは表示ランプ（状態表示手段）、３ｂは表示部（データ表示手段）、３ｃはリモコン受光部（受信手段）、３ｄは呼出ボタン、５はホストコンピュータ（管理装置）、７は計数機、７ａはホッパ、７ｂは表示部、７ｃはプリンタ、７ｄはカード挿入口、７ｅはリモコン受光部、７ｆは発券ボタン、８はレシート（記録担体）、９はリモコン（入力手段）、９ａは送信ヘッド、９ｂは液晶表示部、９ｃは操作スイッチ群を示す。
【図１】
2004215829.tif 000003
【図２】
2004215829.tif 000004
【図３】
2004215829.tif 000005
【図４】
2004215829.tif 000006
【図５】
2004215829.tif 000007
【図６】
2004215829.tif 000008
【図７】
2004215829.tif 000009
【図８】
2004215829.tif 000010
【図９】
2004215829.tif 000011
【図１０】
2004215829.tif 000012